(57)【要約】      （修正有）【課題】土に対し溝付けや覆土の作業を容易且つ適切に行え、播種を問題なく進められ、作業の効率を高められると共に、立ったままの姿勢で作業が行え、身体への負担も少なくできる農具を提供する。【解決手段】掻土部として角柱状とされる一対の溝付け部１１を設け、溝付け部１１を作業対象の土に当てて動かすと、溝付け部１１の移動方向前面側部分で土の表面が掻き動かされて溝が生じると共に、溝付け部１１の下面が広く溝に接するようになることから、溝付け部１１が土に過剰に食い込まず、溝付け部１１で誤って土を深く掘りすぎて溝を深くしてしまうことがなく、この種の作業に慣れていない作業者であっても、簡単な農具操作で深過ぎず且つ浅過ぎない均一な形状の溝５０を設けることができ、溝５０を設けた後の播種作業を適切に実行できる。【選択図】図３
0003202728.tif 000002
【実用新案登録請求の範囲】
【請求項１】
土を掻き動かす掻土部と、当該掻土部に連結される棒状の柄部とを有する農具において、
前記掻土部が、
前記柄部の長手方向に直交する向きに所定間隔で離隔させて配置される角柱状の一対の溝付け部と、
所定の細長い部材で形成され、当該部材の長手方向を前記柄部の長手方向に対し直交する向きとして前記柄部一端部に連結され、前記一対の溝付け部を同じ向きとして取り付けられる支持部とを備えることを
特徴とする農具。
【請求項２】
前記請求項１に記載の農具において、
前記溝付け部が、中空体とされることを
特徴とする農具。
【請求項３】
土を掻き動かす掻土部と、当該掻土部に連結される棒状の柄部とを有する農具において、
前記掻土部が、
板状部材でそれぞれ形成され、互いに板面を対向させつつ、前記柄部について対称となる配置で、且つ柄部の一端部から他端部に向かう方向について末広形となる配置とされる一対の土寄せ部と、
前記柄部の一端部に連結されると共に、当該柄部との連結箇所から柄部の長手方向に対し略直交する向きに離れた二箇所で各土寄せ部と連結して、土寄せ部同士が覆土対象の溝に対応した所定間隔をなすように各土寄せ部を支持する支持部とを備えることを
特徴とする農具。
【請求項４】
前記請求項１ないし３のいずれかに記載の農具において、
前記支持部が、柄部に対し着脱可能に取り付けられることを
特徴とする農具。
【考案の詳細な説明】
【技術分野】
【０００１】
本考案は、畑等の播種対象の土表面に播種用の溝を設けたり、播種後の溝に対し覆土を行うための農具に関する。
【背景技術】
【０００２】
野菜等の種を苗床となる畑や育苗用容器内の土に播く場合、一般的には、土表面に溝や穴を設け、そうした溝や穴内に種を播くという方法が採られており、こうした播種の対象箇所が多数ある場合には、作業能率向上のため、専用の機械装置も使用されていた。
【０００３】
一方、費用対効果の点で機械装置を用いることが難しいなどの理由から、土に溝を設けて溝内に種を播く作業を、人手により行うことも依然としてある。その場合、通常は、あらかじめ苗床用に耕して整えた土の上に、手持ちの棒や板等を用いて溝を作り、得られた溝に種を播く、という手順で作業が行われていた。また、種を播いた後、土で種を覆う覆土の作業は、従来は、手で土を動かして行う単純な方法を採用することも多かった。
【０００４】
これらの人手による作業は、手を使って行う関係上、作業者は作業を進めるにあたり、移動等のために立った姿勢と、土に対する手作業のために座った姿勢を交互に繰り返さざるを得ず、こうした作業の継続は作業者の身体、特に足腰に負担がかかるものとなっていた。
【０００５】
このような身体に負担のかかる作業状態を改善できるものとして、作業者が立った姿勢のまま溝を作ったり溝に土を被せたりする作業を行えるようにする農具が提案されている。こうした従来の農具の一例として、実開昭４８−１５９１０号公報に開示されるものがある。
【先行技術文献】
【特許文献】
【０００６】
【特許文献１】実開昭４８−１５９１０号公報
【考案の概要】
【考案が解決しようとする課題】
【０００７】
従来の農具は、前記特許文献に示される構成とされており、地面への溝付けと播種後の覆土の作業を、柄の端部に設けた溝切爪端部の溝切刃や覆土板を使用して行うことで、作業者が立った姿勢のままでほとんど座った姿勢をとることなく作業を行えるようになっていた。
【０００８】
しかし、このような従来の農具は、溝切刃や覆土板を有する溝切爪が薄い板状であり、端部の溝切刃や覆土板が鋭く土に食い込みやすいものとなっている。このため、実際に作業を行う場合、加える力を特に考慮せずに柄を動かすと、溝切爪の端部が土の深い位置に達しやすく、溝を一定の深さに形成するのが難しいという課題を有していた。また、覆土の場合も、加える力を適度に調整しないと、覆土板が想定より深い位置に達して、覆土用の表層の土だけでなく、より下側の播かれた種のある土部分を誤って動かしてしまうこととなり、適切に覆土を行えなくなるという課題を有していた。
【０００９】
こうした点により、前記従来の農具を用いる場合、農具を土に過剰に食い込ませないよう慎重に作業を行う必要があり、作業能率の向上には繋げられないという課題を有していた。
【００１０】
本考案は前記課題を解消するためになされたもので、土に対し溝付けや覆土の作業を容易且つ適切に行え、播種を問題なく進められ、作業の効率を高められると共に、立ったままの姿勢で作業が行え、身体への負担も少なくできる農具を提供することを目的とする。
【課題を解決するための手段】
【００１１】
本考案に係る農具は、土を掻き動かす掻土部と、当該掻土部に連結される棒状の柄部とを有する農具において、前記掻土部が、前記柄部の長手方向に直交する向きに所定間隔で離隔させて配置される角柱状の一対の溝付け部と、所定の細長い部材で形成され、当該部材の長手方向を前記柄部の長手方向に対し直交する向きとして前記柄部一端部に連結され、前記一対の溝付け部を同じ向きとして取り付けられる支持部とを備えるものである。
【００１２】
このように本考案によれば、掻土部として角柱状とされる一対の溝付け部を設け、溝付け部を作業対象の土に当てて動かすと、溝付け部の移動方向前面側部分で土の表面が掻き動かされて溝が生じると共に、溝付け部の下面が広く溝に接するようになることにより、溝付け部が土に過剰に食い込まず、溝付け部で誤って土を深く掘りすぎて溝を深くしてしまうことがなく、この種の作業に慣れていない作業者であっても、簡単な農具操作で深過ぎず且つ浅過ぎない均一な形状の溝を設けることができ、溝を設けた後の播種作業を適切に実行できる。
【００１３】
また、溝付け部が誤って土の深い位置に達して、溝を過度に深くする事態に陥りにくいことで、作業者が溝深さを一定に維持するよう慎重に柄部を操作して溝付け部を動かす必要がなく、農具の取り扱いが容易となり、一対の溝付け部で二列の溝を同時に設けられることと合わせて、土に複数の平行な溝を設ける作業を効率よく行える。さらに、立った姿勢で溝を設ける作業を行えることに加え、誤って溝を深く掘り過ぎて手作業による溝の修正等を要する事態も起こりにくくなることで、座った姿勢と立った姿勢との間の移行動作の頻度をさらに少なくすることができ、作業に際しての身体の動作をより単純で疲れにくいものとして、播種作業に伴う身体への負担をさらに抑えて、無理なく安全に作業を進められる。
【００１４】
また、本考案に係る農具は必要に応じて、前記溝付け部が、中空体とされるものである。
【００１５】
このように本考案によれば、溝付け部をその内部が中空である中空体として、溝付け部を含む掻土部の軽量化を図ることにより、土に対し溝を設ける作業を行う際に、軽量とした分、農具を老人など力の強くない作業者でも容易に取り扱うことができ、作業能率を向上させられ、作業時間を短縮できる。
【００１６】
また、本考案に係る農具は、土を掻き動かす掻土部と、当該掻土部に連結される棒状の柄部とを有する農具において、前記掻土部が、板状材でそれぞれ形成され、互いに板面を対向させつつ、前記柄部について対称となる配置で、且つ柄部の一端部から他端部に向かう方向について末広形となる配置とされる一対の土寄せ部と、前記柄部の一端部に連結されると共に、当該柄部との連結箇所から柄部の長手方向に対し略直交する向きに離れた二箇所で各土寄せ部の端縁部分とも連結し、土寄せ部同士が覆土対象の溝に対応した所定間隔をなすように各土寄せ部を支持する支持部とを備えるものである。
【００１７】
このように本考案によれば、一対の土寄せ部が支持部に連結されて配設され、使用状態で各土寄せ部を溝近傍に位置させ、支持部を柄部と共に溝に沿って動かすと、末広形配置の土寄せ部が溝連続方向に対して斜めに傾いた状態を維持しつつ、溝側方の土表面部を動かして溝側へ向かわせることにより、各土寄せ部が互いに異なる向きで土に面し、互いにもう一方の土寄せ部の土にめり込もうとする動きに対する抵抗となって、各土寄せ部が土にめり込むこと無く、溝側方の表層の土のみ移動させて適切に溝への覆土が行え、この種の作業に慣れていない作業者であっても、簡単な農具操作で溝に対し厚過ぎず且つ薄過ぎない適度な厚さで均一に覆土を実行することができ、覆土による種の適切な被覆状態を確保して発芽及び生長を促せる。
【００１８】
また、土寄せ部が誤って土に深くめり込んで土を深く掻き取り、播いた種のある土部分も移動させてしまう事態には陥りにくいことで、作業者が表層の土のみ移動させるよう、慎重に柄部を操作して土寄せ部を動かす必要がなく、農具の取り扱いが容易となり、播種後の溝に対する覆土作業を効率よく行える。
【００１９】
さらに、立った姿勢で溝に対し土を被せる覆土作業を行えることに加え、土寄せ部で必要以上に土を動かして手作業による覆土の修正等を要する事態も起こりにくくなることで、座った姿勢と立った姿勢との間の移行動作の頻度をさらに少なくすることができ、作業に際しての身体の動作をより単純で疲れにくいものとして、播種作業に伴う身体への負担をさらに抑えて、無理なく安全に作業を進められる。
【００２０】
また、本考案に係る農具は必要に応じて、前記支持部が、柄部に対し着脱可能に取り付けられるものである。
【００２１】
このように本考案によれば、支持部を柄部と一体化している状態では、支持部と溝付け部又は土寄せ部が柄部長手方向とは異なる向きに突出する分、置いたり運んだりする場合に、この柄部端部を含む農具全体が比較的大きなスペースを占有してしまうが、支持部を柄部に対し着脱可能として、支持部及びこれに取り付けられた溝付け部又は土寄せ部を必要に応じて柄部と分離できることにより、柄部端部から支持部等が突出する状態を一時的に解消させられ、収納や持ち運びの際に必要となるスペースを小さくすることができ、取り扱いやすさを向上させられる。
【図面の簡単な説明】
【００２２】
【図１】本考案の一実施形態に係る溝付け用の農具の斜視図である。
【図２】本考案の一実施形態に係る溝付け用の農具の要部拡大斜視図である。
【図３】本考案の一実施形態に係る溝付け用の農具の使用状態説明図である。
【図４】本考案の一実施形態に係る溝付け用の農具の使用状態における土表面の概略断面図である。
【図５】本考案の一実施形態に係る覆土用の農具の斜視図である。
【図６】本考案の一実施形態に係る覆土用の農具の要部拡大斜視図である。
【図７】本考案の一実施形態に係る覆土用の農具の使用状態説明図である。
【図８】本考案の一実施形態に係る覆土用の農具の使用状態における土表面の概略断面図である。
【考案を実施するための形態】
【００２３】
以下、本考案の一実施形態に係る農具を前記図１ないし図８に基づいて説明する。本実施形態では、土に播種用の溝を設ける溝付け用の農具と、播種後の溝に対し土を被せる覆土用の農具の各例について説明する。
【００２４】
前記各図において本実施形態に係る農具１、２は、土を掻き動かす掻土部１０、２０と、この掻土部１０、２０に連結される棒状の柄部３１、３２とを有する農具であり、詳細には、前記溝付け用の農具１は、その掻土部１０として、柄部３１の長手方向に直交する向きに所定間隔で離隔させて配置される一対の溝付け部１１と、所定の細長い部材で形成されて柄部３１の一端部に連結されると共に、各溝付け部１１を取り付けられる支持部１２とを備える構成である。
【００２５】
また、覆土用の農具２は、その掻土部２０として、柄部３２について対称且つ末広形となる配置とされる板状の一対の土寄せ部２１と、柄部３２の一端部に連結されると共に、各土寄せ部２１の端部とも連結して各土寄せ部２１を支持する板状の支持部２２とを備える構成である。
【００２６】
前記溝付け用の農具１における溝付け部１１は、中空の角柱状体として形成され、二つを一対として柄部３１の長手方向に直交する向きに所定間隔で離隔させて柄部３１一端部近傍に配置され、支持部１２両端部にそれぞれ同じ向きとして取り付けられる構成である。
【００２７】
溝付け部１１は、例えば、アルミニウム等の金属材製角パイプ（例えば、６０ｍｍ角）を所定長さ（例えば、約１２０ｍｍ）使用し、この角パイプ両端の開口部を硬質の封止材（例えば、プラスチック材など）で封止して、両端が閉じた平面状である、中空の角柱状体としたものである。この溝付け部１１の大きさや長さは、設けたい溝の大きさに対応させて適宜設定できる。
【００２８】
なお、溝付け部１１をなす角パイプを金属材以外の材質としたり、封止材をプラスチック材以外の材質とすることもできる。また、溝付け部１１は、角柱状をなすものであれば、角パイプと封止材の組合せによるものに限らず、他の中空構造の角柱状体を採用することもでき、さらに、例えば木材やプラスチック材など軽量材質製であれば、中空でなく中実の角柱状体としてもかまわない。
【００２９】
また、この溝付け部１１を角パイプで形成する場合、角パイプの開口した端部のうち、作業者から見て、使用状態で作業者の手元（柄部３１の他端部）により近く、土を押し動かして溝を生じさせる溝付け部手前側については、封止材で封止して閉じる一方、溝付け部の反対側（奥側）の端部については、角パイプ端部が適切に処理されて手が触れた際の安全を確保している等の条件を満たせば、封止せず開放したまま用いる構成とすることもできる。
【００３０】
前記支持部１２は、細長い板状部材で形成され、この板状部材の長手方向を柄部３１の長手方向に対し略直交する向きとして、柄部３１一端部に略棒状の連結部材１５を介して連結され、一対の溝付け部１１を同じ向きとして取り付けられてこれらを支持する構成である。なお、柄部３１と支持部１２とを連結する連結部材１５は、中間部で曲がった略棒状の部材であり、両端部所定範囲にねじ溝加工がされてこの両端部を雄ねじとされる構成である。
【００３１】
支持部１２は、例えば、アルミニウム等の金属材製の矩形板（例えば、長さ３６０ｍｍ、幅４０ｍｍ、厚さ２ｍｍ）とすることができる。この支持部としては、柄部３１と連結できると共に溝付け部１１を支持できる十分な強度を有するものであれば、板状部材に限られるものではなく、パイプや、Ｌ字形断面のいわゆるアングル材などの、板以外の任意の断面形状の部材を、単独で、又は、複数組み合わせた構造として使用する構成としてもかまわない。
【００３２】
こうした支持部１２に対し、溝付け部１１が、支持部１２の長手方向に所定間隔で離隔させつつ、支持部１２に同じ向きとして一対取り付けられる。支持部１２への溝付け部１１の取付けについては、溝付け部１１上面部と支持部１２とをリベット止めや溶接により完全に固定する他、ねじ止めにより着脱可能に取り付けるようにすることもできる。
【００３３】
また、支持部１２は、その中央部に連結部材１５の一端部を通す貫通孔を穿設されて、この貫通孔に連結部材１５を通した状態で連結部材１５に螺合させたナット１５ａを支持部１２の表裏両側から締め付けることで、連結部材１５と一体に連結される。そして、連結部材１５の他端部が柄部３１の一端部に螺合等により取り付けられることで、支持部１２も柄部３１に一体に連結されることとなる。
【００３４】
ナット１５ａと連結部材１５との螺合を利用して、支持部１２を柄部３１と連結状態とすることで、支持部１２の柄部３１に対する着脱が容易であり、必要に応じて支持部１２を柄部３１から取り外した状態とすれば、柄部３１一端部から支持部１２等が突出する状態を一時的に解消させられ、収納や持ち運びの際に必要となるスペースを小さくすることができ、取り扱いやすさを向上させられる。
【００３５】
前記覆土用の農具２における土寄せ部２１は、板状部材で形成され、二つを一対として互いにその板面を対向させつつ、柄部３２について対称となる配置で、且つ柄部３２の一端部から他端部に向かう方向について末広形となる配置とされる構成である。
【００３６】
土寄せ部２１は、詳細には、台形の板状とされる支持部２２の台形各斜辺に沿って一対配設され、それぞれ支持部２２の板面から略直角に起立状態とされることで、一対の土寄せ部２１がその板面を対向させつつ、柄部３２の一端部から他端部に向かう方向について末広形配置をなすようにされる仕組みである。
【００３７】
この土寄せ部２１は、支持部２２から起立状態とされる矩形板状の起立板部分２１ａと共に、この起立板部分２１ａと直角をなして支持部２２の板面に沿う基礎板部分２１ｂを有しており、この基礎板部分２１ｂを支持部２２に連結固定することで、土寄せ部２１全体を支持部２２に取り付ける仕組みである。
【００３８】
また、土寄せ部２１における起立板部分２１ａは、その支持部２２とは離れた側の縁部から所定範囲の部分を、他の材質製とされる構成である。具体的には、土寄せ部２１は、例えば、断面Ｌ字形状のアルミニウム等の金属製アングル材（例えば、断面Ｌ字形状の辺長２０ないし４０ｍｍ）の端縁部に、プラスチック等の他材質製の板材を取り付けて一体構造としたものである。そして、前記他材質製板材固定辺側が起立板部分２１ａ、そうでない辺側が基礎板部分２１ｂとされる。
【００３９】
こうして、土寄せ部２１の土に接する側の所定範囲部分を、土寄せ部の支持部２２に取り付けられる他部分とは異なる材質部分とすることで、土との接触で損耗しやすい部分を必要に応じて交換でき、土寄せ部としての機能を確実に維持できると共に、この土に接する所定範囲部分を、交換使用を前提として他部分より強度は低いものの安価な材質製とすれば、農具全体としての耐久性を維持しつつ初期導入コストを抑えられる。
【００４０】
なお、土寄せ部２１としては、複数部材を一体化した構造を例示しているが、これに限らず、土寄せ部全体を、例えば金属製アングル材のみで形成するなど、単一部材製とするようにしてもかまわない。
【００４１】
前記支持部２２は、覆土対象の溝５０に対応した大きさの台形の板材で形成され、この板材の台形底辺方向を柄部３２の長手方向に対し略直交する向きとして、柄部３２一端部に略棒状の連結部材２５を介して連結され、且つ板材の台形底辺のうち長い方が柄部３２の他端部寄りとなるように配置される構成である。なお、前記連結部材２５は、中間で曲がった略棒状の部材であり、両端部所定範囲にねじ溝を設けられてこの両端部を雄ねじとされる構成である。
【００４２】
支持部２２は、柄部３２との連結箇所から柄部３２の長手方向に対し略直交する向き（台形底辺方向）に離れた二箇所としての、二つの台形斜辺位置で各土寄せ部２１の基礎板部分２１ｂと連結して、各土寄せ部２１を末広形配置状態で支持する仕組みである。
【００４３】
この支持部２２に支持される各土寄せ部２１は、支持部２２の台形各斜辺部分における、支持部２２の柄部３２一端部を連結される面とは反対側の面部分から略直角に起立状態として配設されることで、作業者が柄部３２を持った使用状態で、覆土対象となる溝５０の両側の土表面に面することとなる。
【００４４】
支持部２２は、例えば、アルミニウム等の金属板を台形状に加工したものである。この支持部としては、柄部３２と連結できると共に土寄せ部２１を支持できる十分な強度を有するものであれば、板材に限られるものではなく、パイプや、Ｌ字形断面のいわゆるアングル材などの、板以外の任意の断面形状の部材を、単独で、又は、複数組み合わせた構造として使用する構成としてもかまわない。また、作業者が作業中に土寄せ部２１により動かされて溝５０に向かう土の様子を確認できるように、支持部の一部または全部を透明材質製にしたり、支持部に窓状の貫通部分を設ける構成とすることもできる。
【００４５】
こうした支持部２２に対し、一対の土寄せ部２１が、柄部３２の長手方向に対し略直交する向きについて、土寄せ部同士が覆土対象の溝５０に対応した所定間隔をなすようにして取り付けられる。支持部２２への土寄せ部２１の取付けについては、土寄せ部２１の基礎板部分２１ｂと支持部２２とをリベット止めや溶接により完全に固定する他、ねじ止めにより着脱可能に取り付けるようにすることもできる。
【００４６】
また、支持部２２は、その中央部分の所定箇所に、連結部材２５の一端部を通す貫通孔を設けて、この貫通孔に連結部材２５を通した状態で連結部材２５に螺合させたナット２５ａを支持部２２の表裏両側から締め付けることで連結部材２５と一体に連結される。そして、連結部材２５の他端部が柄部３２の一端部に螺合等により取り付けられることで、支持部２２も柄部３２に一体に連結されることとなる。
【００４７】
このように、溝付け用の農具１の場合同様、ナット２５ａと連結部材２５との螺合を利用して、支持部２２を柄部３２と連結状態とすることで、支持部２２の柄部３２に対する着脱が容易であり、必要に応じて支持部２２を柄部３２から取り外した状態とすれば、柄部３２一端部から支持部２２等が突出する状態を一時的に解消させられ、収納や持ち運びの際に必要となるスペースを小さくすることができ、取り扱いやすさを向上させられる。
【００４８】
なお、溝付け用及び覆土用の各農具１、２における連結部材１５、２５と支持部１２、２２とのそれぞれの連結は、連結部材１５、２５に螺合させたナット１５ａ、２５ａをそれぞれ用いる他に、連結部材側にも貫通孔を設け、連結部材と支持部の両方に貫通するボルト等の雄ねじとナット等の雌ねじを締結することで、連結部材と支持部とを連結する構成としたり、連結部材又は支持部に設けた雌ねじ穴に、連結対象の支持部又は連結部材に設けた貫通孔を通したボルト等の雄ねじを螺合させて、連結部材と支持部とを連結する構成とすることもできる。
【００４９】
また、連結部材又は支持部に設けたバックル、留め金、又はクランプを、連結対象の支持部又は連結部材の側に設けた前記バックル、留め金、又はクランプと組をなす部品と係合させると共に緊締状態とすることで、着脱可能に連結一体化を図る構成とすることもできる。
【００５０】
この他、溝付け用及び覆土用の各農具１、２のそれぞれの柄部３１、３２については、作業対象範囲の大きさや作業者の体格に応じて、その長さを適宜設定してかまわない。また、柄部自体を、複数部材を組合せて、長さ調整可能な構成とすることもできる。
【００５１】
次に、本実施形態に係る農具の使用状態について説明する。前提として、畑で畝状に整えられて苗床をなす土に対し、溝を作って種を播く作業への適用例とし、溝付け用及び覆土用の各農具１、２は作業前に組み立てられて使用可能とされ、作業者は苗床の横の通路部に立って、対象の各作業を作業者が農具を用いて実行可能な状態にあるものとする。
【００５２】
最初の溝を設ける工程としては、まず、苗床として畝状に盛り上げた土における、溝を設けたい所定箇所の、作業者の立つ通路部側とは反対側の端に、溝付け用の農具１における一対の溝付け部１１を当てる。そして、作業者は農具１を土に当てたまま、保持した柄部３１を作業者の手元の側にそのまま引き寄せるように動かす。これにより、農具１端部の一対の溝付け部１１がそれぞれ左右に土を押しのけながら移動して、土の表面に溝５０を設けていく（図３、図４参照）。
【００５３】
土に接する溝付け部１１は角柱状であり、特に、使用時に土を押し動かす、作業者の手元（柄部３１の他端部）に近い溝付け部手前側部分（移動方向前面側部分）は平面状となっており、土に鋭く食い込まないことに加え、同じく平面状の溝付け部下面部分が広く溝に接することで、溝付け部１１が土に過剰にめり込むようなことはない。
【００５４】
このため、従来の農具では深くめり込みやすい苗床用の土であっても、溝付け部１１で誤って土を深く掘りすぎて溝を深くしてしまう事態を防止でき、作業者が溝深さを一定に維持するよう慎重に力を加えながら柄部３１を操作して溝付け部１１を動かす必要がなく、この種の作業に慣れていない作業者であっても、土に対し農具１を溝予定位置に沿って一方向に動かすのみの簡単な農具操作で、深過ぎず且つ浅過ぎない均一な形状の溝を設けることができる。
【００５５】
また、溝付け部１１を中空体にした他、農具全体を簡略な構造として軽量化を図っていることで、老人など農具を動かす力が強くない作業者でも、農具を容易に取り扱うことができる。これら農具１による作業性の改善により、作業効率を高めて作業時間を短縮できる。
【００５６】
一回の農具移動による二列の溝を終端（畝の端）まで設けたら、作業者は新たに溝を設けたい箇所に農具１を移動させて、同様の作業を行う。そして、農具１を用いて、全ての対象箇所に溝５０を設けたら、別途、溝に種を播く作業が行われることとなる。そして、種が播かれた後、作業者は、土で溝内の種を覆う覆土の作業を、覆土用の農具２を用いて行う。
【００５７】
覆土の作業では、種が播かれた溝５０の、作業者の立つ通路部側とは反対側の端に、覆土用の農具２を、その支持部２２の中心が溝上に重なるように位置させる。そして、作業者は農具２の土寄せ部２１を、先の溝５０を設ける際に押しのけられて溝横に集まり盛り上がった土に当てながら、柄部３２を持って作業者の手元の側にそのまま引き寄せるようにして支持部２２を溝５０に沿って動かす。これにより、溝連続方向に対し斜めに傾く各土寄せ部２１がそれぞれ溝横の土を内方の溝側へ寄せるように動かしながら移動して、溝５０の上に土を被せていく（図７、図８参照）。
【００５８】
農具２を移動させる中、作業者側から見て末広形の配置とされている各土寄せ部２１が互いに異なる向きで土に面し、互いにもう一方の土寄せ部２１の土にめり込もうとする動きに対する抵抗となることで、各土寄せ部２１が土にめり込むこと無く、溝横の表層の土のみ移動させて適切に溝５０への覆土が行え、この種の作業に慣れていない作業者であっても、簡単な農具操作で、溝を壊すことなく、また溝に対し厚過ぎず且つ薄過ぎない適度な厚さで均一に、覆土を実行することができる。
【００５９】
また、土寄せ部２１が誤って土に深くめり込む事態が生じにくいことで、作業者が表層の土のみ移動させるよう、慎重に柄部３２を操作して土寄せ部２１を動かす必要がなく、農具２の取り扱いが容易となり、溝５０に対する覆土作業を能率よく短時間で行える。
【００６０】
作業者は、一回の農具移動による一列の溝５０への覆土を溝終端まで行ったら、次の覆土対象の溝位置まで農具２を移動させて、同様の作業を行う。そして、農具２により全ての対象となる溝５０に対する覆土を終えた後は、必要に応じて、被せた土を鍬等で転圧する等の補助的作業を済ませれば、作業完了となる。
【００６１】
溝付け用の農具１で平行な溝５０を均一に設けていることで、この溝５０に対して行った播種の間隔も均一となっており、この後、作物を整列状態で生長させることができ、発芽後の除草作業や、そのまま生長させた場合における最終的な収穫作業を、容易且つ効率よく実行できる。
【００６２】
こうした播種に係る溝５０を設ける作業や、溝５０への覆土作業において、溝付け用及び覆土用の各農具１、２を使用することで、立った姿勢のままで溝を設ける作業や覆土作業を行える。加えて、各農具の使用により溝を設ける作業や覆土作業が適切に行えるようになっており、手作業による溝の修正や覆土の修正等を要する事態が起こりにくく、手作業を行うために座った姿勢に移行することも少なくなっている。こうしたことから、作業に際しての身体の動作をより単純で疲れにくいものにでき、播種に係る各作業に伴う身体への負担を確実に抑えられる。
【００６３】
このように、本実施形態に係る農具は、掻土部１０として角柱状とされる一対の溝付け部１１を設け、溝付け部１１を作業対象の土に当てて動かすと、溝付け部１１の移動方向前面側部分で土の表面が掻き動かされて溝が生じると共に、溝付け部１１の下面が広く溝に接するようになることから、溝付け部１１が土に過剰にめり込まず、溝付け部１１で誤って土を深く掘りすぎて溝を深くしてしまうことがなく、この種の作業に慣れていない作業者であっても、簡単な農具操作で深過ぎず且つ浅過ぎない均一な形状の溝５０を設けることができ、溝を設けた後の播種作業を適切に実行できる。また、溝付け部１１が誤って土の深い位置に達し、溝を過度に深くする事態に陥りにくいことで、作業者が溝深さを一定に維持するよう慎重に柄部３１を操作して溝付け部１１を動かす必要がなく、農具の取り扱いが容易となり、一対の溝付け部１１で二列の溝５０を同時に設けられることと合わせて、土に複数の平行な溝を設ける作業を効率よく行える。
【００６４】
また、本実施形態に係る農具は、一対の土寄せ部２１が支持部２２に連結されて配設され、使用状態で各土寄せ部２１を溝近傍に位置させ、支持部２２を柄部３２と共に溝５０に沿って動かすと、末広形配置の土寄せ部２１が溝連続方向に対して斜めに傾いた状態を維持しつつ、溝側方の土表面部を動かして溝側へ向かわせることから、各土寄せ部２１が互いに異なる向きで土に面し、互いにもう一方の土寄せ部２１の土にめり込もうとする動きに対する抵抗となって、各土寄せ部２１が土にめり込むこと無く、溝側方の表層の土のみ移動させて適切に溝５０への覆土が行え、この種の作業に慣れていない作業者であっても、簡単な農具操作で溝に対し厚過ぎず且つ薄過ぎない適度な厚さで均一に覆土を実行することができ、覆土による種の適切な被覆状態を確保して発芽及び生長を促せる。加えて、土寄せ部２１が誤って土を深く掻き取り、播いた種のある土部分も移動させてしまう事態には陥りにくいことで、作業者が表層の土のみ移動させるよう、慎重に柄部３２を操作して土寄せ部を動かす必要がなく、農具の取り扱いが容易となり、播種後の溝５０に対する覆土作業を効率よく短時間で行える。
【００６５】
なお、前記実施形態に係る農具のうち、溝付け用の農具１においては、支持部１２に対し一対の溝付け部１１を支持部１２の長手方向に所定間隔をなすように取り付け、支持部１２に対する各溝付け部１１の位置はそのまま固定する構成としているが、これに限らず、溝付け部１１を支持部１２に対し位置調整可能に取り付ける構成とすることもできる。
【００６６】
詳細には、溝付け部１１を、支持部１２に対しねじ止めで必要に応じ着脱可能とすると共に、支持部１２にねじ止め用のねじを通す孔を支持部長手方向に複数穿設する構成とすれば、支持部１２における溝付け部１１取付位置を、支持部１２のねじを通す孔の選択により支持部長手方向に変えられ、この場合、一対の溝付け部１１の間隔を調整できることとなり、一度の農具移動により設けられる二列の溝の間隔を、播種の条件に確実に適応したものとすることができる。この他、溝付け部１１の支持部１２への取り付けにねじ止め等を採用して、固定状態をねじを緩めるなどして必要に応じ緩和可能としつつ、支持部１２に溝付け部１１を取り付けるねじを通す支持部側の孔を、支持部長手方向に連続する長孔として穿設し、溝付け部１１の固定を緩和した状態で支持部１２に対する溝付け部１１の位置を長孔の範囲内で変更可能な構成とすることもでき、支持部１２の所望の位置で溝付け部１１を固定して、前記同様に一対の溝付け部１１の間隔を調整できる。
【００６７】
また、前記実施形態に係る農具のうち、覆土用の農具２においては、支持部２２に対し一対の土寄せ部２１を、柄部３２の長手方向に直交する向きに所定間隔をなすように取り付け、支持部２２に対する各土寄せ部２１の位置はそのまま固定する構成としているが、これに限らず、土寄せ部２１を支持部２２に対し位置調整可能に取り付ける構成とすることもできる。
【００６８】
詳細には、土寄せ部２１を、支持部２２に対しねじ止めで必要に応じ着脱可能とすると共に、支持部２２にねじ止め用のねじを通す孔を支持部２２の台形底辺方向に複数並べて穿設する構成とすれば、支持部２２におけるねじを通す孔の選択により、支持部２２における土寄せ部２１取付位置を支持部２２の台形底辺方向に変えたり、末広形配置とされる土寄せ部２１間の角度（開き角）を変えることができ、この場合、一対の土寄せ部２１の間隔や開き角を調整できることとなり、一度の農具移動による覆土の範囲を、覆土対象の播種済みの溝の大きさや溝横の土の集合状態等に対応させて調整し、また、移動する土寄せ部２１による土の溝側に動かされる度合いを土質等に対応させて調整して、より適切に溝への覆土が行える。
【００６９】
この他、土寄せ部２１の支持部２２への取り付けにねじ止め等を採用して、固定状態をねじを緩めるなどして必要に応じ緩和可能としつつ、支持部２２に土寄せ部２１を取り付けるねじを通す支持部側の孔を、支持部２２の台形底辺方向に連続する長孔として穿設し、土寄せ部２１の固定を緩和した状態で支持部２２に対する土寄せ部２１の位置を長孔の範囲内で変更可能な構成とすることもでき、支持部２２の所望の位置で土寄せ部２１を固定して、前記同様に一対の土寄せ部２１の間隔を調整できる。
【００７０】
さらに、前記実施形態に係る農具において、柄部３１、３２の一端部に支持部１２、２１をそれぞれ連結するための連結部材１５、２５は、いずれも中間部分で所定角度曲げられた略棒状部材とされる構成としているが、これに限らず、連結部材を柄部に取り付ける一部と支持部に取り付ける他部とを傾動可能に組み合わせて、これら連結部材の一部と他部とのなす角度を調整可能な構成とすることもできる。この場合、連結部材の調整により柄部と支持部のなす角度を変えることができ、作業にあたり、土に面する支持部に対し作業者が手で持つ柄部を、作業状況や作業者の体格に対応した作業しやすい角度に調整することができ、作業能率をさらに向上させられる。
【符号の説明】
【００７１】
１、２            農具
１０、２０        掻土部
１１              溝付け部
１２              支持部
１５、２５        連結部材
１５ａ、２５ａ    ナット
２１              土寄せ部
２１ａ            起立板部分
２１ｂ            基礎板部分
２２              支持部
３１、３２        柄部
５０              溝
【図１】
0003202728.tif 000003
【図２】
0003202728.tif 000004
【図３】
0003202728.tif 000005
【図４】
0003202728.tif 000006
【図５】
0003202728.tif 000007
【図６】
0003202728.tif 000008
【図７】
0003202728.tif 000009
【図８】
0003202728.tif 000010